(57)【特許請求の範囲】
【請求項１】
連動しない独立した二つのラチェット付きクランクをそれぞれ脚で踏み回すことにより、ギヤケース内に仕組まれた三つのギヤをラチェット機構の働きを介して連動回転させて車軸を回転させられるようにし、その車軸の両側にそれぞれ車輪を取り付けて前進走行を可能とし、足がペダルから外れないようにするためのカカト掛を設けた事を特徴とするラチェット式サイクルマシン。
【発明の詳細な説明】
【技術分野】
【０００１】
本発明は、ラチェット付きクランクを脚で踏み回すことにより、車輪を回転して前進走行を可能としたラチェット式サイクルマシンに関するものである。
【背景技術】
【０００２】
従来から、足こぎ式乗り物の例として自転車等が挙げられる。ラチェット式サイクルマシンの例としては特許文献１に開示されているものもある。
【特許文献１】実開平５−１６５７４号公報
【発明の開示】
【発明が解決しようとする課題】
【０００３】
しかしながら、従来の自転車は一般に二輪車で左右のペダルを漕いで走行する乗り物であるため片方のペダルだけを漕いで走行するというわけには行かない。たち止れば倒れてしまうしそのため片脚に障害のある人は乗ることは出来ない。それに従来の自転車は健常者のみ運転走行する乗り物として取り扱われてきたため片脚に障害のある人達には縁遠い乗り物であった。そのために健常者と同じように気軽に自転車に乗りたいけど乗れないなど片脚に障害のある人達にも乗れる自転車があったらいいなどと思う。このような不都合さを解決することを課題とする。  
【課題を解決するための手段】
【０００４】
この課題を解決するために、本発明のラチェット式サイクルマシンは、ラチェット付きクランクを脚で踏み回すことによりギヤケース内に仕組まれたギヤをラチェット機構の働きを介して連動回転させて車軸を回転させられるようにし、その車軸の両側に車輪を取り付けて前進走行を可能とし、足がペダルから外れないようにするためのカカト掛を設けた事を特徴とする。
また、本発明のラチェット式サイクルマシンは、ラチェット付きクランクを脚で踏みまわしギヤケース内に仕組まれたギヤとギヤを直接チエーンで連結しラチェット機構の働きを介して車軸を回転するようにし、その車軸の両側に車輪を取り付けて前進走行を可能とし、足がペダルから外れないようにするためのカカト掛を設けた事を特徴とする。
【発明の効果】
【０００５】
本発明のラチェット式サイクルマシンはラチェット５付きクランク７ペダル８にギヤボックス１と前一輪１６と後二輪１７の三輪で構成されており本発明により、片足に障害のある人でも健常者と同じように自転車同様乗れることが可能になる。                  本発明はラチェット式なので片方のペダルを踏みまわしても反対側のペダルは回転しないため右と左のペダルは別々に回すことも同時に回すことも可能でありそのため片足に障害のある人は障害のないほうの脚だけでペダルを漕ぐことも出来る。乗るときも止まるときも三輪車なので乗り降りは二輪車と違って大変楽である。本発明であるラチェット式サイクルマシンに乗ることにより行動範囲が広くなり新たな発見が出来て充実した日々が遅れる。片脚障害者にとってはありがたいラチェット式サイクルマシンといえる。
【発明を実施するための最良の形態】
【０００６】
図１は、全体を現した左側面図であり、見た限りでは従来の自転車のようではあるが違いはラチェット５つきクランク７ペダル８とギヤケース１の中である。ギヤケース１の中は図４に示すように第一ギヤ２と第二ギヤ３と第三ギヤ４で動力を伝達してギヤ軸１０につないだ車軸１８を回転させられるようにしており、図５も自転車と同じようではあるが主動ギヤ２５と受動ギヤ２６をチエーン２２でつないで動力を伝達しギヤ軸１０につないだ車軸１８を回転させて図４と同じように後輪１７を回転させられるようにしてある。これらのギヤケース１を車体フレーム１３の中へ押さえ込み、サドル１１にまたがってペダル８を漕ぐ場合、何の支障もなくペダル８を踏みまわすことが出来るようにしたことを特徴とする。      
【０００７】
図２は、本発明を正面からみた図であり、ホーク２３の中に前輪１６を挟むように収め自転車と同じようにハンドル１４操作ができるようにした事である。それから後輪１７は車体フレーム１３の中へ押さえ込んだギヤケース１の両脇より突き出した車軸１８に後輪１７を取り付けて安定走行ができるようにした事と、止まっても倒れないようにしたことである。サドル１１は自転車と同じ構造で高さ調整が可能、ペダル８はカカト１９を後へ蹴り上げるとき外れないようにするためカカト掛２１を設けペダル８を漕げるようにしたことを特徴としてラチェット５つきクランク７だから左右同時でも別々にでもペダル８を漕げるようにした事である。                
【０００８】
実施例として、本発明であるラチェット式サイクルマシンは主に片脚に障害のある人に利用していただくために発明した乗り物なのでハンドル１４は自転車と同じように持って障害のないほうの足２０をペダル８にのせて自転車と同じように前へ踏みまわすように漕ぎ、そして後へ蹴り上げるときカカト掛２１にカカト１９が掛かって上へペダル８が足２０と共に上がって一回転することを繰り返し走行する。反対側のペダル８はクランク７とも下方へ下がっているので自転車のペダルのように回転はしないため障害のある脚には影響はないので安心して乗っていただける。健常者も乗れるので自転車としての乗り物がもう一種類増えたものとしていろんな人にいろんな乗り方を楽しんでもらいたいしその方が発明者としてはうれしいものである。                        
【産業上の利用可能性】
【０００９】
本発明はギヤケース１についているラチェット５付きクランク７のペダル８を足２０で回転させて自転車と同じようにハンドル１４を持って前進走行させられるようにしハンドル１４操作を可能にした事を特徴とし健常者でも片脚に障害のある人でも同様に乗れることである。動力を伝達するためのギヤとチェーン２２をギヤケース１の中へ収納することにより外気に触れないので錆びたり硬くなったりする事はないので潤滑油をさしてやらなければならないなどの余計な心配はしなくてもよいのである。本発明を利用することにより産業界にとっては企業発展の絶好の時であると思われ工業的にも量産することが可能であるため産業上の利用性は大いに期待できるラチェット式サイクルマシンを提供する。
【図面の簡単な説明】
【００１０】
【図１】本発明の左側面を表した全体図である。
【図２】本発明の正面図である。
【図３】本発明の平面図である。
【図４】本発明のギヤとギヤが噛み合ったギヤボックスの内部構造図である。
【図５】本発明の主動ギヤと受動ギヤをチエーンで連結させたギヤボックスの内部構造図である。
【図６】本発明のカカト掛を設けた図である。
【図７】本発明のラチェット式サイクルマシンの斜視図である。
【符号の説明】
【００１１】
１  ギヤケース               
２  第一ギヤ                                                    
３  第二ギヤ
４  第三ギヤ
５  ラチェット
６  ナット
７  クランク
８  ペダル
９  ペダル軸
１０  ギヤ軸
１１  サドル
１２  シートポスト  
１３  車体フレーム
１４  ハンドル
１５  ハンドルポスト
１６  前輪
１７  後輪
１８  車軸
１９  カカト
２０  足
２１  カカト掛
２２  チエーン
２３  ホーク
２４  路面
２５  主動ギヤ
２６  受動ギヤ
【要約】      （修正有）【課題】片脚に障害のある人でも乗れる自転車。【解決手段】ラチェット式サイクルマシンはクランク７がラチェット５付きなのでペダル８を片脚で漕いでも反対側のペダル８は回転しないため障害のあるほうの脚に影響はない。本発明のラチェット式サイクルマシンは三輪なので乗るときも止まるときも倒れないので楽に乗り降りが出来る。ラチェット付きクランクを脚で踏み回すことによりギヤケース内に仕組まれたギヤをラチェット機構の働きを介して連動回転させて車軸を回転させられるようにし、その車軸の両側に車輪を取り付けて前進走行を可能とし、足がペダルから外れないようにするためのカカト掛を設けた事を特徴とする。【選択図】図１【図１】
0004779148.tif 000002
【図２】
0004779148.tif 000003
【図３】
0004779148.tif 000004
【図４】
0004779148.tif 000005
【図５】
0004779148.tif 000006
【図６】
0004779148.tif 000007
【図７】
0004779148.tif 000008